(57)【要約】【課題】  記憶される医用情報を、患者向けの情報に加工して出力する。【解決手段】  患者の医用画像を撮影する撮影装置１０と、医用画像を管理する医用画像管理装置２０と、医用画像の読影結果を出力する出力部４１ｂ乃至４３ｂ、５０と、がネットワークを介して相互に通信可能に接続されている医用画像システム１であって、医用画像管理装置は、医用画像および読影結果の少なくともいずれかを編集する編集部２２を備え、出力部は、編集部により編集された編集後のデータを読影レポート５００として出力可能である。【選択図】図２
2020181291.tif 000002
【特許請求の範囲】
【請求項１】
患者の医用画像を撮影する撮影装置と、
前記医用画像を管理する医用画像管理装置と、
前記医用画像の読影結果を出力する出力部と、
がネットワークを介して相互に通信可能に接続されている医用画像システムであって、
前記医用画像管理装置は、
前記医用画像および前記読影結果の少なくともいずれかを編集する編集部を備え、
前記出力部は、前記編集部により編集されたデータを読影レポートとして出力可能である、
医用画像システム。
【請求項２】
前記読影結果には複数の項目が含まれていて、前記編集部は、異常所見が記載されている項目の内容を、前記異常所見が記載されていない項目よりも詳細な情報を前記読影レポートに含める、
請求項１記載の医用画像システム。
【請求項３】
前記編集部は、
前記医用画像のうち読影に用いられた読影部位の画像を抽出する画像抽出部をさらに備え、
前記出力部は、抽出された前記読影部位の画像を出力する、
請求項１又は２記載の医用画像システム。
【請求項４】
前記画像抽出部は、前記医用画像に前記患者の顔が含まれているとき、前記患者の顔を前記医用画像から除外するようにトリミングする、
請求項３記載の医用画像システム。
【請求項５】
前記画像抽出部は、前記読影結果に記載されている項目の内容に基づいて、抽出する医用画像を決定する、
請求項３又は４記載の医用画像システム。
【請求項６】
前記医用画像管理装置は、操作者の識別情報に基づいて、前記操作者が医療従事者であるか一般利用者であるかを認証する認証部を備え、
前記出力部は、前記操作者が前記一般利用者であるとき、前記編集後の読影レポートを出力する、
請求項１乃至５のいずれかに記載の医用画像システム。
【請求項７】
前記操作者が前記医療従事者であるとき、編集前のデータを出力するか、編集後の読影レポートを出力するかを選択可能である、
請求項６記載の医用画像システム。
【請求項８】
前記出力部は、前記読影レポートを印刷する印刷装置であり、
前記出力部は、印刷指示を受信すると、前記編集後の前記読影レポートを印刷する、
請求項１乃至７のいずれかに記載の医用画像システム。
【請求項９】
前記出力部は、前記編集後の前記読影レポートを表示する端末であり、
前記出力部は、表示指示を受信すると、前記編集後の前記読影レポートを表示する、
請求項１乃至７のいずれかに記載の医用画像システム。
【請求項１０】
患者の医用画像を撮影する撮影装置と、
前記医用画像の読影結果を出力する出力部と、
ネットワークを介して相互に通信可能に接続されている医用画像管理装置であって、
前記医用画像および前記読影結果の少なくともいずれかを編集する編集部を備え、
前記編集部により編集された編集後のデータを読影レポートとして前記出力部に送信する、
医用画像管理装置。
【請求項１１】
患者の医用画像を撮影する撮影装置と、
前記医用画像を管理する医用画像管理装置と、
前記医用画像の読影結果を出力する出力部と、
がネットワークを介して相互に通信可能に接続されている医用画像システムの医用画像管理方法であって、
前記医用画像および前記読影結果の少なくともいずれかを編集する編集ステップと、
編集後のデータを読影レポートとして出力する出力ステップと、
を含む、
医用画像管理方法。
【請求項１２】
患者の医用画像を撮影する撮影装置と、
前記医用画像を管理する医用画像管理装置と、
前記医用画像の読影結果を出力する出力部と、
がネットワークを介して相互に通信可能に接続されている医用画像システムの医用画像管理プログラムであって、
前記医用画像および前記読影結果の少なくともいずれかを編集する編集命令と、
編集後のデータを読影レポートとして出力する出力命令と、
をコンピュータに実行させる、
医用画像管理プログラム。
【発明の詳細な説明】
【技術分野】
【０００１】
本発明は、医用画像システム、医用画像管理装置、医用画像管理方法、および医用画像管理プログラムに関する。
【背景技術】
【０００２】
患者を撮影して得られた医用画像を医師が読影し、医用画像および読影結果を表示する医用画像システムが知られている。
【０００３】
特許文献１には、複数の診療情報に含まれる診療項目のうち、診療データが異常値を示す診療項目等を注目診療項目として抽出して表示させる診療情報表示制御装置が開示されている。
【０００４】
特許文献２には、患者の検査部位の撮影画像のうち検査目的外の疾患に関する検査数値を自動計測し、その検査数値レポートを作成して、撮影画像と検査数値レポートを互いに関連付け、且つそれぞれ独立したデータで送信し、医用画像表示装置により表示する医用画像システムが開示されている。このシステムでは、検査数値が異常値の場合、その旨の警告を表示画面上に表示させる。
【先行技術文献】
【特許文献】
【０００５】
【特許文献１】特開２０１５−１８４１５号公報
【特許文献２】特開２０１０−２６８８２１号公報
【発明の概要】
【発明が解決しようとする課題】
【０００６】
特許文献１の装置は、医師が複数の診療科目の診断データを総合的に勘案して判断をする際に、診断に必要な診療データを抽出するための装置である。そのため、当該装置により患者が自分の診断結果を閲覧しても、専門的な記述が多く、理解が困難であった。また、当該装置の表示結果には、患者にとって必要な情報と不要な情報が混在しているため、患者向けの表示としては不親切である。
【０００７】
特許文献２のシステムにおいても、医師等が閲覧するのを目的として情報を表示している。
【０００８】
そのため、患者に閲覧させるレポートは、医師等が情報を取捨選択して加工して作成する以外には、内容が未整理のまま配布せざるを得ず、患者に対して親切とはいえなかった。そこで、記憶される医用情報のうち、患者向けの情報だけを出力し、患者の理解を助ける医用画像システムが必要とされている。
【０００９】
そこで、本発明は、記憶される医用情報を、患者向けの情報に加工して出力することで、患者の理解を助けることを目的の１つとする。
【課題を解決するための手段】
【００１０】
上記目的を達成するため、本発明の一の観点に係る医用画像システムは、患者の医用画像を撮影する撮影装置と、前記医用画像を管理する医用画像管理装置と、前記医用画像の読影結果を出力する出力部と、がネットワークを介して相互に通信可能に接続されている医用画像システムであって、前記医用画像管理装置は、前記医用画像および前記読影結果の少なくともいずれかを編集する編集部を備え、前記出力部は、前記編集部により編集された編集後のデータを読影レポートとして出力可能である。
【００１１】
前記読影結果には複数の項目が含まれていて、前記編集部は、異常所見が記載されている項目の内容を、前記異常所見が記載されていない項目よりも詳細な情報を前記読影レポートに含めるものとしてもよい。
【００１２】
前記編集部は、
前記医用画像のうち読影に用いられた読影部位の画像を抽出する画像抽出部をさらに備え、前記出力部は、抽出された前記読影部位の画像を出力するものとしてもよい。
【００１３】
前記画像抽出部は、前記医用画像に前記患者の顔が含まれているとき、前記患者の顔を前記医用画像から除外するようにトリミングするものとしてもよい。
【００１４】
前記画像抽出部は、前記読影結果に記載されている項目の内容に基づいて、抽出する医用画像を決定するものとしてもよい。
【００１５】
前記医用画像管理装置は、操作者の識別情報に基づいて、前記操作者が医療従事者であるか一般利用者であるかを認証する認証部を備え、前記出力部は、前記操作者が前記一般利用者であるとき、前記編集後の読影レポートを出力するものとしてもよい。
【００１６】
前記操作者が前記医療従事者であるとき、編集前のデータを出力するか、編集後の読影レポートを出力するかを選択可能であるものとしてもよい。
【００１７】
前記出力部は、前記読影レポートを印刷する印刷装置であり、前記出力部は、印刷指示を受信すると、前記編集後の前記読影レポートを印刷するものとしてもよい。
【００１８】
前記出力部は、前記編集後の前記読影レポートを表示する端末であり、前記出力部は、表示指示を受信すると、前記編集後の前記読影レポートを表示するものとしてもよい。
【００１９】
上記目的を達成するため、本発明の別の観点に係る医用画像管理装置は、患者の医用画像を撮影する撮影装置と、前記医用画像の読影結果を出力する出力部と、ネットワークを介して相互に通信可能に接続されている医用画像管理装置であって、  前記医用画像および前記読影結果の少なくともいずれかを編集する編集部を備え、前記編集部により編集された編集後のデータを読影レポートとして前記出力部に送信する。
【００２０】
上記目的を達成するため、本発明のさらに別の観点に係る医用画像管理方法は、患者の医用画像を撮影する撮影装置と、前記医用画像を管理する医用画像管理装置と、前記医用画像の読影結果を出力する出力部と、がネットワークを介して相互に通信可能に接続されている医用画像システムの医用画像管理方法であって、前記医用画像および前記読影結果の少なくともいずれかを編集する編集ステップと、編集後のデータを読影レポートとして出力する出力ステップと、を含む。
【００２１】
上記目的を達成するため、本発明のさらに別の観点に係る医用画像管理プログラムは、患者の医用画像を撮影する撮影装置と、前記医用画像を管理する医用画像管理装置と、前記医用画像の読影結果を出力する出力部と、がネットワークを介して相互に通信可能に接続されている医用画像システムの医用画像管理プログラムであって、前記医用画像および前記読影結果の少なくともいずれかを編集する編集命令と、編集後のデータを読影レポートとして出力する出力命令と、をコンピュータに実行させる。
なお、コンピュータプログラムは、インターネット等のネットワークを介したダウンロードによって提供したり、ＣＤ−ＲＯＭなどのコンピュータ読取可能な各種の記録媒体に記録して提供したりすることができる。
【発明の効果】
【００２２】
本発明によれば、記憶される医用情報を、患者向けの情報に加工して出力することで、患者の理解を助けることができる。
【図面の簡単な説明】
【００２３】
【図１】本発明にかかる医用画像システムの実施の形態を示す全体概略図である。
【図２】上記医用画像システムの機能ブロック図である。
【図３】上記医用画像システムにより表示される読影レポートの例である。
【図４】上記医用画像システムが有するデータベースに保存されている情報の例であって、（ａ）検査テーブル、（ｂ）操作者テーブルの一例である。
【図５】上記医用画像システムのシーケンス図である。
【発明を実施するための形態】
【００２４】
以下、本発明にかかる医用画像システム、医用画像管理装置、医用画像管理方法、および医用画像管理プログラムの実施の形態について、図面を参照しながら説明する。
【００２５】
図１及び図２に示すように、医用画像システム１は、主として、モダリティ１０、PACSサーバ２０（Picture Archiving and Communication Systemサーバ２０）、第１乃至第３端末４１乃至４３および印刷装置５０を備える。本実施形態においては、PACSサーバ２０が、モダリティ１０、複数の端末４１乃至４３および印刷装置５０とそれぞれ接続されている。接続形態は、すべて無線であってもよいし、一部又は全部が有線で接続されていてもよい。
【００２６】
モダリティ１０は、撮影装置の例であり、患者の医用画像を撮影する装置である。モダリティ１０は、例えばＣＲ、ＣＴ、およびＭＲＩ等の装置である。医用画像システム１が備えるモダリティ１０の個数は、１個であっても複数であってもよい。
【００２７】
モダリティ１０は、撮影部１１、記憶部１２および通信部１３を有する。撮影部１１は、患者の医用画像を取得する機能部であり、モダリティ１０の種類により取得する情報の性質が異なる。記憶部１２は、撮影した医用画像を記憶する機能部である。通信部１３は、PACSサーバ２０から撮影依頼を受信する。撮影依頼には、患者の識別情報および撮影部位、ならびに撮影するモダリティ１０の種類等の情報が含まれている。また、通信部１３は、モダリティ１０により撮影された医用画像を、画像データとしてPACSサーバ２０に送信する。
【００２８】
PACSサーバ２０は、モダリティ１０から画像データを受信して、管理する装置である。PACSサーバ２０は、医用画像管理装置の例である。PACSサーバ２０はデータベース３０を有し、患者に関する情報を記憶している。PACSサーバ２０は、受信した画像データを患者に関する情報と対応付けてデータベース３０に保存する。
【００２９】
PACSサーバ２０は、接続されている複数の端末４１乃至４３に、画像および対応付けられている情報を送信し、当該画像および情報を端末４１乃至４３の画面に表示させる。このとき、PACSサーバ２０は、当該画像を医師が確認した旨の情報を、端末４１乃至４３から受信してもよい。さらに、PACSサーバ２０は、印刷装置５０に画像および対応づけられている情報を送信することで、読影レポート５００を印刷可能になっている。印刷装置５０は、出力部の一例である。PACSサーバ２０が有する詳細な機能ブロックは、後述する。
【００３０】
図３に、読影レポート５００の例を示す。読影レポート５００は、データベース３０に記憶されている情報の一部が抽出されて記載されている。読影レポート５００は、特に、患者の識別情報５０１、検査条件に関する項目５０２、読影結果５０３および画像データ５０４ａ、５０４ｂ等が記載されている。
【００３１】
図１に示すように、複数の端末４１乃至４３は、医師や放射線技師等の医療従事者、および患者や患者の家族等の一般利用者により利用可能な端末である。複数の端末４１乃至４３は、例えばパーソナルコンピュータであるが、タブレット、スマートホン等の携帯端末であってもよい。本実施形態においては、例えば第１端末４１は主治医が操作し、第２端末４２は放射線技師、第３端末４３は放射線科医が操作する。図２に示すように、端末４１乃至４３は、それぞれ入力部４１ａ乃至４３ａを備え、患者の検査および読影を指示するオーダー、読影結果および患者の識別情報等を入力可能に構成されている。また、端末４１乃至４３は、表示部４１ｂ乃至４３ｂを備え、画像データや読影結果を表示可能である。表示部４１ｂ乃至４３ｂは、出力部の別の例である。なお、患者等の一般利用者が操作可能な端末があってもよい。複数の端末４１乃至４３は、操作者のログイン操作により、操作者の識別情報を認証させた上で使用するようになっていてもよい。
【００３２】
図２を用いて、PACSサーバ２０が有する構成の各機能ブロックに関して詳細に説明する。同図に示すように、PACSサーバ２０は、通信部２１、編集部２２、認証部２３およびデータベース３０を備える。
【００３３】
図４（ａ）に示すように、データベース３０は、モダリティ１０により撮影される医用画像を、読影結果と対応付けて記憶する。データベース３０は、患者の識別情報、主治医からのオーダーに関する情報、医用画像、医用画像の撮影条件、１次読影結果、２次読影結果、各読影担当者の識別情報等が対応づけられて記憶されている検査テーブルを有する。各項目は、その下にさらに詳細な項目を有している。例えば、１次読影結果には、複数の観点に関する読影結果がふくまれていて、観点ごとに結果が記憶されていてもよい。
【００３４】
検査テーブルには、記憶されている項目ごとに、患者への伝達要否を示す伝達要否情報が記憶されている。例えば、主治医からのオーダー日時は、病院内での情報伝達には必要であるが、患者に伝達する必要はない。そこで、オーダー日時は伝達要否が「否」と記憶されている。また、１回の検査で取得される複数の画像データのそれぞれに患者への伝達要否が設定可能になっていてもよい。
【００３５】
また、図４（ｂ）に示すように、データベース３０は、操作者の識別情報と、操作者が医療従事者であるか、患者およびその家族等の一般利用者であるかの属性を紐づけて記憶する操作者テーブルを有している。操作者テーブルは、後述する認証部２３により参照され、端末４１乃至４３の操作者が医療従事者であるか一般利用者であるかの判定に用いられる。
【００３６】
図２に示すように、通信部２１は、モダリティ１０、端末４１乃至４３、および印刷装置５０と情報を送受信する機能部である。通信部２１は、モダリティ１０からの画像データを受信する。また、通信部２１は、端末４１乃至４３から、撮影指示を示すオーダーや読影結果を受信可能である。さらに、通信部２１は、各読影担当者および主治医が、他の工程で入力された内容を確認したか否かの情報を端末４１乃至４３から受信する。
【００３７】
通信部２１は、端末４１乃至４３に対して読影依頼および読影結果の確認依頼を送信する。また、通信部２１は、読影レポートを端末４１および印刷装置５０に送信可能である。
【００３８】
編集部２２は、読影レポートを編集する機能部である。編集部２２は、読影レポートに掲載する項目およびその記載内容を抽出するための構成として、読影結果抽出部２２１を備える。また、編集部２２は、読影レポートに掲載する画像を抽出するための構成として、画像抽出部２２２を備える。
【００３９】
読影結果抽出部２２１は、データベース３０において患者の識別情報および当該識別情報と紐づけられている情報を編集し、編集後の読影レポートに反映させる。編集後の読影レポートは、患者に検査結果を説明する上で必要なデータのみが記載される。
【００４０】
具体的には、読影結果抽出部２２１は、患者に伝達が必要であると設定されている項目を読影レポートに反映し、伝達不要に設定されている項目は読影レポートに反映しない。例えば、オーダー日時の情報は、院内の情報伝達には必要であるものの、患者の検査結果の説明には不要であるので、患者向けの読影レポートには表示されない。この構成によれば、記憶される医用情報を、患者向けの情報に絞って出力することで、患者の理解を助けることができる。
【００４１】
なお、患者に検査結果を説明する上で必要な項目が、他の項目よりも強調されて記載されていてもよい。強調とは、例えば多くの文字数又は広い領域を用いて詳細に記載されていることを指す。
【００４２】
読影結果抽出部２２１は、異常所見が記載されている項目の内容を、異常所見が記載されていない項目よりも詳細な情報を編集後の読影レポートに含めるように編集する。例えば、図３において観点１に関しては「肺炎の疑い」との異常所見が記載されているので、さらに肺炎の程度や、寛解の見込み等の詳細な情報が編集後の読影レポートに表示される。なお、観点１のうち、「右の下肺野S4に網状影」との記載は、専門的な表現であり、患者には理解しがたいため、編集後の読影レポートには表示させないように構成されていてもよい。また、観点２に関しては異常所見がないため、簡略化されるか、項目自体が表示されない。
【００４３】
データベース３０に登録されている内容が異常所見であるか否かの判断は、読影の担当医により異常所見の有無が別途入力されてもよいし、読影結果抽出部２２１が記載内容に含まれる単語を分析して、異常所見に関する内容が否かを自動的に判断してもよい。
【００４４】
画像抽出部２２２は、医用画像のうち読影に用いられた読影部位の画像を抽出する機能部である。画像抽出部２２２は、患者に紐づいて記憶されている項目の内容に基づいて、抽出する医用画像を決定する。例えば、１回の撮影で全身の画像データが取得されている場合、画像抽出部２２２は、オーダーに含まれる検査部位又は読影結果に記載されている内容に基づいて、抽出する医用画像を決定してもよい。また、読影結果に引用されている画像データに基づいて、抽出する医用画像を決定してもよい。をすなわち、複数の画像データのうち、患者に説明される画像、例えば病変に関するものが表示されている画像のみが編集後の読影レポートに反映される。この構成によれば、患者への説明に必要な画像を自動的に抽出することができ、患者にとって理解のしやすい読影レポートを作成することができる。
【００４５】
画像抽出部２２２は、抽出される医用画像の一部をさらに抽出してトリミングしてもよい。この構成によれば、患者に説明する画像を必要な部分のみ提示することができる。
【００４６】
画像抽出部２２２は、医用画像に患者の顔が含まれているとき、患者の顔を医用画像から除外するようにトリミングする。患者の顔が検査対象でない場合、医用画像に患者の顔が含まれていると、不快に感じる患者もいる他、プライバシーの侵害になりかねない。患者の顔を医用画像から除外する構成によれば、患者に不快感を与えることがなく、プライバシーも守ることができる。また、学会や学術誌等の発表で医用画像を用いる際に更なる加工が不要となるので、医師にとっても効率的である。
【００４７】
図３に示す認証部２３は、操作者の識別情報に基づいて、操作者が医療従事者であるか一般利用者であるかを認証する機能部である。認証部２３は、操作者がPACSサーバ２０へのアクセスにおいて識別情報を入力部４１ａ乃至４３ａから入力すると、データベース３０に記憶されている操作者テーブルを参照して、操作者が医療従事者であるか一般利用者であるかを判定する。操作者が一般利用者である場合、表示部４１ｂ乃至４３ｂには編集後の読影レポートが表示される。この構成によれば、一般利用者に編集後の読影レポートをスムースに閲覧させることができる。
【００４８】
操作者が医療従事者である場合、表示部４１ｂ乃至４３ｂには編集前の読影レポートが表示される。また、操作する医療従事者が、編集前の読影レポートを表示するか、編集後の読影レポートを表示するかを選択可能になっていてもよい。印刷装置５０において印刷する場合も同様である。
【００４９】
図４を用いて、医用画像システム１における代表的なデータの流れを説明する。まず、第１端末４１は、例えば患者の治療を担当する主治医の操作に基づいて、オーダーをPACSサーバ２０に送信する（ステップS1）。PACSサーバ２０は、モダリティ１０に撮影依頼を送信する（ステップS2）。モダリティ１０は、撮影依頼に含まれる情報に基づいて、患者の撮影を行う（ステップS3）。撮影された画像データは、患者の識別情報と共にPACSサーバ２０に送信される（ステップS4）。PACSサーバ２０は、取得した画像データを患者の識別情報と紐づけてデータベース３０に保存する（ステップS5）。
【００５０】
PACSサーバ２０は、取得した画像データおよび患者の識別情報を、１次読影依頼として第２端末４２に送信する（ステップS6）。第２端末４２は、１次読影依頼を適宜画面上に表示し、第２端末４２を操作する放射線科医に画像の読影を促す。第２端末４２は、１次読影結果の送信指令が入力されると、PACSサーバ２０に１次読影結果を送信する（ステップS7）。PACSサーバ２０は、１次読影結果を受信して、データベース３０に記録する（ステップS8）。
【００５１】
PACSサーバ２０は、１次読影結果の受信に基づいて、２次読影依頼を第３端末４３に送信する（ステップS9）。２次読影依頼には、画像データ、患者の識別情報および１次読影に関する情報等が含まれている。１次読影に関する情報は、例えば、１次読影の内容や、１次読影を行った医師の識別情報、日時等が含まれている。第３端末４３は、２次読影依頼を適宜画面上に表示し、第３端末４３を操作する放射線科医に画像の読影を促す。
【００５２】
第３端末４３は、２次読影結果の送信指令が入力されると、PACSサーバ２０に２次読影結果を送信する（ステップS10）。PACSサーバ２０は、２次読影結果を受信して、データベース３０に記録する（ステップS11）。
【００５３】
PACSサーバ２０は、２次読影結果を受信すると、読影完了連絡を第１端末４１に送信する（ステップS12）。なお、本実施形態では２次読影まで行うものとしたが、３人以上の医師により３次以上の読影を行う構成であってもよい。また、１次読影のみ行う構成であってもよい。
【００５４】
第１端末４１の画面には、読影完了連絡を受信すると、読影結果を表示するための操作部（不図示）が表示される。この操作部は例えば、マウスによるクリックや、手指によるタップにより入力が受け付けられる画面上のボタンである。操作部が操作されると、第１端末４１に読影結果が表示される（ステップS13）。第１端末４１に読影レポートの印刷指示が入力されると、第１端末４１は、印刷する患者の識別情報や、印刷する内容に関する情報をPACSサーバ２０に送信する（ステップS14）。このとき、第１端末４１は、印刷するレポートが、医師向けのレポートか患者向けのレポートかの情報を合わせてPACSサーバ２０に送信する。PACSサーバ２０は、第１端末４１から受信した情報に基づいて読影レポートを編集し（ステップS15）、印刷装置５０に送信する。印刷装置５０は、PACSサーバ２０から受信したデータを読影レポートとして印刷する（ステップS16）。
【００５５】
上述の各工程において、それ以前の工程における結果を確認していない場合、当該工程の操作を許可しないように構成されていてもよい。具体的には、例えばステップＳ９において、第３端末４３に、１次読影の結果を確認するよう求める表示を行う。１次読影の結果を確認したことをタップ又はクリック等の入力手段により第３端末４３の操作者に入力させるようになっている。この入力を行わないと、２次読影の結果入力を許可しないように構成されていてもよい。ステップ１３においても同様に、第１端末４１に各読影の結果を確認するように求める表示を行ってもよい。１次および２次読影の結果を確認した旨の入力を行わないと、他の入力や読影レポートの印刷指示等、次の工程の操作を許可しないように構成されていてもよい。この構成によれば、各工程における読影結果を診断に確実に活かすことができる。
【００５６】
このように、本発明にかかる医用画像システムによれば、記憶される医用情報を、患者向けの情報に加工して出力することで、患者の理解を助けることができる。
【００５７】
また、本発明にかかる医用画像システムによれば、患者への説明に必要な画像を自動的に抽出することができ、患者にとって理解のしやすい読影レポートを作成することができる。
【００５８】
さらに、本発明にかかる医用画像システムによれば、患者の顔を医用画像から除外する構成により、患者に不快感を与えることがなく、プライバシーも守ることができる。
【００５９】
さらに、本発明にかかる医用画像システムによれば、前記読影結果に記載されている項目の内容に基づいて、抽出する医用画像を決定する構成により、読影レポートの作成を効率良く行うことができる。
【００６０】
さらに、本発明にかかる医用画像システムによれば、操作者が一般利用者であるとき、編集後の読影レポートを出力する構成により、一般利用者に編集後の読影レポートをスムースに閲覧させることができる。
【００６１】
１          医用画像システム
１０      モダリティ（撮影装置）
２０      PACSサーバ（医用画像管理装置）
２２      編集部
３０      読影レポート
４１b    表示部（出力部）
４２ｂ    表示部（出力部）
４３ｂ    表示部（出力部）
５０      印刷装置（出力部）
５００    読影レポート
【図１】
2020181291.tif 000003
【図２】
2020181291.tif 000004
【図３】
2020181291.tif 000005
【図４】
2020181291.tif 000006
【図５】
2020181291.tif 000007